(57)【要約】【課題】メカボリュームの調整値と電子ボリュームの調整値との関係を種々の状況に応じて適切に設定し、且つバッテリの消耗を抑制することが可能な電子機器を提供する。【解決手段】メカボリューム１６に対する駆動電圧VDDを［音声］キーの操作に応じた音声データの出力期間を含む一定時間だけ、且つ予め設定されたデューティ比で印加する。そして、メカボリューム１６のボリューム調整値に対する電子ボリューム１８ａの音声出力比の特性設定テーブル［Ａ］２２ａ，［Ｂ］２２ｂ，…を、メカボリューム１６の種類・メーカによる特性個体差に応じて選択変更したり、ユーザ個人のボリューム操作感覚に応じて選択変更したり、スピーカＳＰ使用時とヘッドフォンＨＰ使用時との切り換えに応じて選択変更したりする。【選択図】      図１
2010068041.tif 000002
【特許請求の範囲】
【請求項１】
メカボリュームと、このメカボリュームからの出力電圧をＡ／Ｄ変換するＡ／Ｄ変換部と、このボリューム出力電圧のＡ／Ｄ変換値に応じた出力比で再生音声の出力レベルを制御する電子ボリュームとを備えた電子機器であって、
前記メカボリュームの駆動電圧を、前記再生音声の出力期間に応じて印加する電圧印加制御手段と、
前記ボリューム出力電圧のＡ／Ｄ変換値と前記電子ボリュームにおける音声出力比との関係をそれぞれ異なる特性に設定する複数のテーブルを記憶するテーブル記憶手段と、
このテーブル記憶手段により記憶された複数のテーブルを、予め設定されたテーブル変更条件に応じて変更するテーブル変更手段と、
を備えたことを特徴とする電子機器。
【請求項２】
前記テーブル変更条件は、前記メカボリュームの個体差であることを特徴とする請求項１に記載の電子機器。
【請求項３】
前記テーブル変更条件は、ユーザ任意の変更条件であることを特徴とする請求項１に記載の電子機器。
【請求項４】
前記電子ボリュームにより制御された再生音声の出力レベルに応じた音声を、スピーカまたはイヤホンに切り換えて出力する出力切換手段を備え、
前記テーブル変更条件は、前記出力切換手段によるスピーカまたはイヤホンへの切り換えであることを特徴とする請求項１に記載の電子機器。
【請求項５】
前記メカボリュームの最小位置に対応する出力電圧のＡ／Ｄ変換値と最大位置に対応する出力電圧のＡ／Ｄ変換値とを記憶する最小最大値記憶手段を備え、
この最小最大値記憶手段により記憶された前記メカボリュームの最小位置に対応するＡ／Ｄ変換値と最大位置に対応するＡ／Ｄ変換値に対応させて、前記電子ボリュームにおける再生音声の出力比を０％から１００％の範囲で制御することを特徴とする請求項１ないし請求項４の何れか１項に記載の電子機器。
【発明の詳細な説明】
【技術分野】
【０００１】
本発明は、音声出力機能を備えた電子機器に関する。
【背景技術】
【０００２】
近年、半導体メモリにデジタル化して記憶させた音声データをアナログ音声として出力する機能を備えた電子機器が種々汎用されている。
【０００３】
例えば電子辞書装置には、辞書データに集録される各見出し語や当該見出し語の用例などについて、予め音声データを記憶させ、辞書検索により表示させた見出し語や用例について、［音声］キーを操作することで、その読み上げ音声を出力する機能が備えられている。
【０００４】
従来、音声データを出力するための回路は、アナログ化された音声信号を可変抵抗器により構成されるメカボリュームを通して音量調整し、アンプを介しスピーカから出力させるのが一般的であった。
【０００５】
しかしながら、前記メカボリュームは、可変抵抗器にユーザ操作に伴う抵抗器との摺動接点が存在するため、この摺動接点での摺動に応じて調整される音声信号に雑音が混入する不具合がある。
【０００６】
このため、前記メカボリュームに電圧を印加し、その中点電圧をＡ／Ｄ変換すると共に、このＡ／Ｄ変換されたデジタルのボリューム値を電子ボリュームにセットして、デジタル音声データの出力レベルを調整した後に、Ｄ／Ａ変換、アンプを介してスピーカから出力させる音声出力調整装置が考えられている（例えば、特許文献１参照。）。これによれば、メカボリュームの摺動部に発生する雑音が混入することなく、音声信号の出力レベルを任意に調整できるものである。
【特許文献１】特開平０６−１４８３６３号公報
【発明の開示】
【発明が解決しようとする課題】
【０００７】
しかしながら、前記メカボリュームの調整値を、電子ボリュームの調整値に換えて音声信号の出力レベルを調整する音声出力調整装置において、メカボリュームに対し常時電圧を印加すると、特にバッテリ駆動による小型の電子機器では、バッテリの消耗が促進され無視できない問題がある。
【０００８】
また、前記従来のボリューム調整装置では、ユーザによるメカボリュームの操作量と、これに伴い調整される音の実際の変化量との関係は固定化されているので、様々なユーザの好みにあった操作感を満足させることはできない。
【０００９】
本発明は、このような課題に鑑みなされたもので、メカボリュームによる調整値と電子ボリュームによる調整値との関係を種々の状況に応じて適切に設定し、且つバッテリの消耗を抑制することが可能になる電子機器を提供することを目的とする。
【課題を解決するための手段】
【００１０】
請求項１に記載の電子機器は、メカボリュームと、このメカボリュームからの出力電圧をＡ／Ｄ変換するＡ／Ｄ変換部と、このボリューム出力電圧のＡ／Ｄ変換値に応じた出力比で再生音声の出力レベルを制御する電子ボリュームとを備えた電子機器であって、前記メカボリュームの駆動電圧を、前記再生音声の出力期間に応じて印加する電圧印加制御手段と、前記ボリューム出力電圧のＡ／Ｄ変換値と前記電子ボリュームにおける音声出力比との関係をそれぞれ異なる特性に設定する複数のテーブルを記憶するテーブル記憶手段と、このテーブル記憶手段により記憶された複数のテーブルを、予め設定されたテーブル変更条件に応じて変更するテーブル変更手段と、を備えたことを特徴としている。
【００１１】
請求項２に記載の電子機器は、前記請求項１に記載の電子機器において、前記テーブル変更条件は、前記メカボリュームの個体差であることを特徴としている。
【００１２】
請求項３に記載の電子機器は、前記請求項１に記載の電子機器において、前記テーブル変更条件は、ユーザ任意の変更条件であることを特徴としている。
【００１３】
請求項４に記載の電子機器は、前記請求項１に記載の電子機器において、前記電子ボリュームにより制御された再生音声の出力レベルに応じた音声を、スピーカまたはイヤホンに切り換えて出力する出力切換手段を備え、前記テーブル変更条件は、前記出力切換手段によるスピーカまたはイヤホンへの切り換えであることを特徴としている。
【００１４】
請求項５に記載の電子機器は、前記請求項１ないし請求項４の何れか１項に記載の電子機器において、前記メカボリュームの最小位置に対応する出力電圧のＡ／Ｄ変換値と最大位置に対応する出力電圧のＡ／Ｄ変換値とを記憶する最小最大値記憶手段を備え、この最小最大値記憶手段により記憶された前記メカボリュームの最小位置に対応するＡ／Ｄ変換値と最大位置に対応するＡ／Ｄ変換値に対応させて、前記電子ボリュームにおける再生音声の出力比を０％から１００％の範囲で制御することを特徴としている。
【発明の効果】
【００１５】
本発明によれば、メカボリュームによる調整値と電子ボリュームによる調整値との関係を種々の状況に応じて適切に設定し、且つバッテリの消耗を抑制することが可能になる電子機器を提供できる。
【発明を実施するための最良の形態】
【００１６】
以下図面により本発明の実施の形態について説明する。
【００１７】
図１は、本発明の電子機器の実施形態に係る音声出力機能を備えた電子辞書装置１０の電子回路の構成を示すブロック図である。
【００１８】
この電子辞書装置１０は、コンピュータとしてのＣＰＵ１１を備えている。
【００１９】
このＣＰＵ１１は、フラッシュＲＯＭ１２に予め記憶されている辞書制御プログラム、あるいは図示しない外部メモリやプログラムサーバから同ＲＯＭ１２に読み込まれた辞書制御プログラムに応じて、ＲＡＭ１３を作業用メモリとし、回路各部の動作を制御する。
【００２０】
前記フラッシュＲＯＭ１２に記憶された辞書制御プログラムは、キーボード１４からのユーザ操作に応じたキー入力信号に従って起動され、種々の辞書検索処理１０や音声出力処理を実行する。
【００２１】
前記ＣＰＵ１１には、前記フラッシュＲＯＭ１２、ＲＡＭ１３、キーボード１４、表示装置１５が接続される他に、音量調整のためユーザ操作されるメカボリューム１６がメカボリューム制御部１７を介して接続される。
【００２２】
また前記ＣＰＵ１１には、電子ボリューム１８ａ、Ｄ／Ａ変換部１８ｂ、アンプ１８ｃからなる音声出力部(Audio Block)１８、およびＨＰ(Head Phone)／ＳＰ(Speaker)切換回路１９を介して、スピーカＳＰまたはヘッドフォンＨＰの何れか一方が接続される。
【００２３】
このＨＰ／ＳＰ切換回路１９において、ヘッドフォンＨＰが接続されると、前記音声出力部１８からの音声出力ラインがスピーカＳＰから当該ヘッドフォンＨＰに切り換えられ、また同時に当該ヘッドフォンＨＰへの切り換え信号が前記ＣＰＵ１１に対して通知される。
【００２４】
前記フラッシュＲＯＭ１２には、複数の見出し語とその各見出し語の意味内容や訳語，用例などの説明情報とを対応付けた辞書データベースが記憶され、さらにこの辞書データベースに記憶された各見出し語や各例文の読み上げ音声をネイティブによる録音または合成音声により生成したデジタル処理された音声データ２１が記憶される。
【００２５】
この音声データは、辞書検索処理により表示装置１５に表示された見出し語または例文をカーソルにより選択した状態で、キーボード１４に備えられる［音声］キーの操作に応じて読み出され、音声出力部１８およびＨＰ／ＳＰ切換回路１９を介してスピーカＳＰまたはヘッドフォンＨＰから出力される。
【００２６】
この際、前記音声データの音量は、ユーザにより操作されるメカボリューム１６の調整値に応じて設定される。メカボリューム１６には、前記［音声］キーの操作に応じた音声データの出力期間を含む一定時間だけ、メカボリューム制御部１７から駆動電圧VDDが印加され、当該ボリューム１６の回転位置に応じて例えば“0V”〜“VDD”まで変化する中間電圧値が同メカボリューム制御部１７に出力される。
【００２７】
図２は、前記電子辞書装置１０のメカボリューム１６に対する駆動電圧VDDの印加タイミングを示す図である。
【００２８】
メカボリューム１６に対しては、メカボリューム制御部１７からの駆動電圧VDDを、前記［音声］キーの操作に応じた音声データの出力期間を含む一定時間だけ、且つ予め設定されたデューティ比で印加することで、無駄な電圧供給を極力省きバッテリの消耗を最小限に抑制する。
【００２９】
前記メカボリューム１６からメカボリューム制御部１７に出力された中間電圧値は、Ａ／Ｄ変換されて当該ボリューム１６の調整値となるもので、当該ボリューム１６をＭＩＮ位置まで回転させた状態での中間電圧値をＭＩＮ、同ボリューム１６をＭＡＸ位置まで回転させた状態での中間電圧値をＭＡＸとしてＲＡＭ１３内のＭＩＮ／ＭＡＸ設定部１３ａに記憶させる。そして、メカボリューム制御部１７にて得られる中間電圧値ＭＩＮのときボリューム調整値“０”、中間電圧値ＭＡＸのときボリューム調整値“１００”と設定し、音声出力部１８の電子ボリューム１８ａにより制御される音声データの出力比を“０％”〜“１００％”の間で可変させる。
【００３０】
これにより、前記メカボリューム１６をＭＩＮ位置まで回転させた状態での中間電圧値ＭＩＮが当該ボリューム１６の個体差により“0V”まで下がらない場合、また反対に同メカボリューム１６をＭＡＸ位置まで回転させた状態での中間電圧値ＭＡＸが“VDD”に達しない場合でも、当該メカボリューム１６のＭＩＮ位置〜ＭＡＸ位置の調整範囲に対応させて、前記電子ボリューム１８ａにより制御される音声データの出力比を“０％”〜“１００％”の範囲で可変できる。
【００３１】
前記電子ボリューム１８ａにおける音声出力比で出力されたデジタル音声データは、Ｄ／Ａ変換部１８ｂによりアナログ音声信号に変換された後、アンプを介して増幅され、スピーカＳＰまたはヘッドフォンＨＰから出力される。
【００３２】
ここで、前記メカボリューム１６による調整値“０”〜“１００”に応じて電子ボリューム１８ａによる音声出力比を“０％”〜“１００％”の間で変化させる特性を、前記フラッシュＲＯＭ１２に予め記憶させたテーブルメモリ２２内の複数の特性設定テーブル［Ａ］２２ａ，［Ｂ］２２ｂ，…（図４参照）に基づき、種々の条件に応じて選択的に設定する。
【００３３】
前記ボリューム調整値対音声出力比の特性設定テーブル［Ａ］２２ａ，［Ｂ］２２ｂ，…を選択する条件には、（１）メカボリューム１６の種類・メーカによる特性個体差に応じた選択、（２）ユーザ個人のボリューム操作感覚に応じた選択、（３）スピーカ使用時とヘッドフォン使用時の切り換えに応じた選択、などがある。
【００３４】
（１）メカボリューム１６の種類・メーカによる特性個体差に応じて、装置製造時に、ボリューム調整値対音声出力比の特性設定テーブル［Ａ］２２ａ，［Ｂ］２２ｂを選択使用することで、個体差のあるメカボリューム１６…を使用しても、当該各メカボリューム１６…の操作に対し均質な音声出力特性を得ることができる。
【００３５】
（２）ユーザ個人のボリューム操作感覚に応じて、使用時に、ボリューム調整値対音声出力比の特性設定テーブル［Ａ］２２ａ，［Ｂ］２２ｂを選択変更することで、ユーザの好みの操作感覚で音量調整することができる。
【００３６】
（３）スピーカ使用時とヘッドフォン使用時との切り換えに伴い、ボリューム調整値対音声出力比の特性設定テーブル［Ａ］２２ａ，［Ｂ］２２ｂを選択変更することで、スピーカＳＰで聞いている場合とヘッドフォンＨＰで聞いている場合の音量調整に伴う出力の変化を最適にすることができる。
【００３７】
図３は、前記電子辞書装置１０によるユーザ操作に応じた特性設定テーブル［Ａ］２２ａ，［Ｂ］２２ｂ，…の選択画面Ｇを示す図である。
【００３８】
図４は、前記電子辞書装置１０のテーブルメモリ２２に記憶される各特性設定テーブル［Ａ］２２ａ，［Ｂ］２２ｂ，…の特性表示状態を示す図である。
【００３９】
例えばキーボード１４の［変更メニュー］キーを操作することで、図３に示すように、特性設定テーブル［Ａ］２２ａ，［Ｂ］２２ｂ，…の選択画面Ｇが表示装置１５に表示される。
【００４０】
この特性設定テーブル［Ａ］２２ａ，［Ｂ］２２ｂ，…の選択画面Ｇにおいて、キーボード１４のカーソルキーの操作によりユーザ任意のテーブルを選択すると、例えば図４（Ａ）または（Ｂ）に示すように、当該選択された特性設定テーブルの特性表示が行われてユーザがそれを確認できる。
【００４１】
次に、前記構成の音声出力機能を備えた電子辞書装置１０の動作について説明する。
【００４２】
図５は、前記音声出力機能を備えた電子辞書装置１０におけるメカボリューム駆動処理を示すフローチャートである。
【００４３】
例えばフラッシュＲＯＭ１２に記憶されている辞書データベースに基づいた辞書検索処理により、ユーザ所望の見出し語が検索表示された状態で、当該表示された見出し語の読み上げ音声を出力させるために、キーボード１４の［音声］キーが入力されると（ステップＳ１（Ｙｅｓ））、メカボリューム制御部１７からメカボリューム１６に対して、図２で示したように、前記音声出力対象の見出し語に対応する音声データ（２１）の出力時間を含む一定時間Ｔの間、予め設定されたデューティ比で駆動電圧VDDが印加される（ステップＳ２）。
【００４４】
すると、前記メカボリューム制御部１７を介してメカボリューム１６の中間電圧値が読み取られ、Ａ／Ｄ変換されたボリューム調整値としてＣＰＵ１１に入力される（ステップＳ３）。
【００４５】
ここで、ＨＰ／ＳＰ切換回路１９から前記ＣＰＵ１１に対して、ヘッドフォン（イヤホン）ＨＰの接続に切り換えられたことを示す切り換え信号が通知されたか否かが判断される（ステップＳ４）。
【００４６】
このステップＳ４において、ＨＰ／ＳＰ切換回路１９にヘッドフォンＨＰが接続されていることで、当該ＨＰ／ＳＰ切換回路１９からＣＰＵ１１に対してヘッドフォン（イヤホン）ＨＰへの切り換え信号が通知されていると判断されると（ステップＳ４（Ｙｅｓ））、前記フラッシュＲＯＭ１２内のテーブルメモリ２２に記憶されている複数の特性設定テーブル［Ａ］２２ａ，［Ｂ］２２ｂ，…のうち、予めイヤホン用として記憶された特性設定テーブルが読み出される（ステップＳ５）。
【００４７】
すると、前記ステップＳ３においてメカボリューム制御部１７により読み取られてＡ／Ｄ変換されたボリューム調整値が、前記イヤホン用の特性設定テーブルの特性カーブに応じた音声出力比（％）に換算され、この換算された音声出力比（％）で音声出力部１８の電子ボリューム１８ａが制御される（ステップＳ７）。これにより、前記［音声］キーのキー入力に伴い音声データメモリ２１から読み出された検索見出し語の読み上げ音声データの出力レベルは、前記メカボリューム１６のボリューム調整値と前記イヤホン用の特性設定カーブとに応じた音声出力比（％）で調整され、Ｄ／Ａ変換部１８ｂ、アンプ１８ｃ、および前記ＨＰ／ＳＰ切換回路１９を介してヘッドフォン（イヤホン）ＨＰから音声出力される。
【００４８】
一方、前記ステップＳ４において、ＨＰ／ＳＰ切換回路１９にヘッドフォンＨＰが接続されていないことで、当該ＨＰ／ＳＰ切換回路１９からＣＰＵ１１に対してヘッドフォン（イヤホン）ＨＰへの切り換え信号が通知されてないと判断されると（ステップＳ４（Ｎｏ））、前記フラッシュＲＯＭ１２内のテーブルメモリ２２に記憶されている複数の特性設定テーブル［Ａ］２２ａ，［Ｂ］２２ｂ，…のうち、予めスピーカ用として記憶された特性設定テーブルが読み出される（ステップＳ５）。
【００４９】
すると、前記ステップＳ３においてメカボリューム制御部１７により読み取られてＡ／Ｄ変換されたボリューム調整値が、前記スピーカ用の特性設定テーブルの特性カーブに応じた音声出力比（％）に換算され、この換算された音声出力比（％）で音声出力部１８の電子ボリューム１８ａが制御される（ステップＳ７）。これにより、前記［音声］キーのキー入力に伴い音声データメモリ２１から読み出された検索見出し語の読み上げ音声データの出力レベルは、前記メカボリューム１６のボリューム調整値と前記スピーカ用の特性設定カーブとに応じた音声出力比（％）で調整され、Ｄ／Ａ変換部１８ｂ、アンプ１８ｃ、および前記ＨＰ／ＳＰ切換回路１９を介してスピーカＳＰから音声出力される。
【００５０】
よって、スピーカＳＰで聞いている場合とヘッドフォンＨＰで聞いている場合の音量調整に伴う出力の変化を最適にすることができる。
【００５１】
図６は、前記音声出力機能を備えた電子辞書装置１０における音量制御カスタマイズ処理を示すフローチャートである。
【００５２】
前記メカボリューム１６のユーザ操作に伴う音声出力の特性を、当該ユーザの好みの特性に設定するために、キーボード１４の［変更メニュー］キーが操作入力されると（ステップＡ１（Ｙｅｓ））、図３で示したように、前記テーブルメモリ２２に記憶されている複数の特性設定テーブル［Ａ］２２ａ，［Ｂ］２２ｂ，…の種類［Ａ］［Ｂ］…を一覧にした選択画面Ｇが表示装置１５に表示される（ステップＡ２）。
【００５３】
このテーブル種類［Ａ］［Ｂ］…の一覧選択画面Ｇにおいて、キーボード１４のカーソルキーの操作によりユーザ任意のテーブルが選択されると（ステップＡ３（Ｙｅｓ））、例えば図４（Ａ）で示したように、当該選択されたテーブル種類［Ａ］に対応した特性設定テーブル［Ａ］２２ａの特性を示す画面が表示装置１５に表示され、ユーザにその確認が促される（ステップＡ４）。
【００５４】
ここで、前記表示装置１５に表示された特性設定テーブル［Ａ］２２ａの特性カーブがユーザの好みの特性でないために、キーボード１４の［戻る］キーが入力された場合には（ステップＡ５（戻る））、再び、前記テーブル種類［Ａ］［Ｂ］…の一覧選択画面Ｇの表示状態に戻る（ステップＡ２）。
【００５５】
そして、前記ステップＡ４において表示装置１５に表示された特性設定テーブル［Ａ］２２ａの特性カーブがユーザの好みの特性である場合に、キーボード１４の［設定］キーが入力されると（ステップＡ５（設定））、この選択表示された特性設定テーブル［Ａ］２２ａが前記メカボリューム１６によるボリューム調整値と前記電子ボリューム１８ａによる音声出力比（％）との換算設定テーブルとしてセットされる（ステップＡ６）。
【００５６】
これにより、ユーザ個人の好みのボリューム操作感覚で音量調整することができる。
【００５７】
したがって、前記構成の音声出力機能を備えた電子辞書装置１０によれば、メカボリューム１６に対しては、メカボリューム制御部１７からの駆動電圧VDDを、［音声］キーの操作に応じた音声データの出力期間を含む一定時間だけ、且つ予め設定されたデューティ比で印加するようにしたので、無駄な電圧供給を極力省けるようになり、バッテリの消耗を最小限に抑制することができる。
【００５８】
また、前記構成の音声出力機能を備えた電子辞書装置１０によれば、メカボリューム１６の種類・メーカによる特性個体差に応じて、装置製造時に、ボリューム調整値対音声出力比の特性設定テーブル［Ａ］２２ａ，［Ｂ］２２ｂを選択使用するので、個体差のあるメカボリューム１６…を使用しても、当該各メカボリューム１６…の操作に対し均質な音声出力特性を得ることができる。
【００５９】
また、ユーザ個人のボリューム操作感覚に応じて、使用時に、ボリューム調整値対音声出力比の特性設定テーブル［Ａ］２２ａ，［Ｂ］２２ｂを選択的に変更できるので、ユーザの好みのボリューム操作感覚で音量調整することができる。
【００６０】
また、スピーカＳＰの使用時とヘッドフォン（イヤホン）ＨＰの使用時との切り換えに伴い、ボリューム調整値対音声出力比の特性設定テーブル［Ａ］２２ａ，［Ｂ］２２ｂを選択変更するので、スピーカＳＰで聞いている場合とヘッドフォンＨＰで聞いている場合の音量調整に伴う出力の変化を最適にすることができる。
【００６１】
さらに、前記構成の音声出力機能を備えた電子辞書装置１０によれば、メカボリューム１６をＭＩＮ位置まで回転させた状態での中間電圧値をＭＩＮ、ＭＡＸ位置まで回転させた状態での中間電圧値をＭＡＸとしてＭＩＮ／ＭＡＸ設定部１３ａに記憶させる。そして、前記中間電圧値ＭＩＮのときボリューム調整値“０”、ＭＡＸのときボリューム調整値“１００”と設定し、電子ボリューム１８ａにより制御される音声データの出力比を“０％”〜“１００％”の間で可変させる。このため、メカボリューム１６の個体差により前記中間電圧値ＭＩＮが“0V”まで下がらない場合、また反対に前記中間電圧値ＭＡＸが“VDD”に達しない場合でも、当該メカボリューム１６のＭＩＮ位置〜ＭＡＸ位置の調整範囲に対応させて、前記電子ボリューム１８ａにより制御される音声データの出力比を“０％”〜“１００％”の範囲で正常に可変できるようになる。
【００６２】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００６３】
【図１】本発明の電子機器の実施形態に係る音声出力機能を備えた電子辞書装置１０の電子回路の構成を示すブロック図。
【図２】前記電子辞書装置１０のメカボリューム１６に対する駆動電圧VDDの印加タイミングを示す図。
【図３】前記電子辞書装置１０によるユーザ操作に応じた特性設定テーブル［Ａ］２２ａ，［Ｂ］２２ｂ，…の選択画面Ｇを示す図。
【図４】前記電子辞書装置１０のテーブルメモリ２２に記憶される各特性設定テーブル［Ａ］２２ａ，［Ｂ］２２ｂ，…の特性表示状態を示す図。
【図５】前記音声出力機能を備えた電子辞書装置１０におけるメカボリューム駆動処理を示すフローチャート。
【図６】前記音声出力機能を備えた電子辞書装置１０における音量制御カスタマイズ処理を示すフローチャート。
【符号の説明】
【００６４】
１０  …音声出力機能を備えた電子辞書装置（電子機器）
１１  …ＣＰＵ
１２  …フラッシュＲＯＭ
１３  …ＲＡＭ
１４  …キーボード
１５  …表示装置
１６  …メカボリューム
１７  …メカボリューム制御部
１８  …音声出力部
１８ａ…電子ボリューム
１８ｂ…Ｄ／Ａ変換部
１８ｃ…アンプ
１９  …ＨＰ（ヘッドフォン）／ＳＰ（スピーカ）切換回路
２１  …音声データメモリ
２２  …テーブルメモリ
２２ａ，２２ｂ，…ボリューム調整値対音声出力比の特性設定テーブル
Ｇ  …テーブル種類の一覧選択画面
【図１】
2010068041.tif 000003
【図２】
2010068041.tif 000004
【図３】
2010068041.tif 000005
【図４】
2010068041.tif 000006
【図５】
2010068041.tif 000007
【図６】
2010068041.tif 000008